(57)【特許請求の範囲】
【請求項１】
１台の室外ユニットに複数台の室内ユニットを冷媒配管により接続し、前記室内ユニットの通信上のアドレスを自動的に設定する空気調和機において、
前記各室内ユニットが所定の数値範囲のランダム値を発生し、前記各室内ユニットが発生するランダム値の範囲が少なくとも２種類あり、前記少なくとも２種類のランダム値の範囲が重複しなく、前記室内ユニットが発生したランダム値を昇順又は降順に並べ替え、当該並べ替えたランダム値に従って前記室内ユニットのアドレスを設定する
ことを特徴とする空気調和機。
【請求項２】
１台の室外ユニットに複数台の室内ユニットを冷媒配管により接続した空気調和機において、
追加された室内ユニットが発生するランダム値の範囲が、既に室外ユニットに接続された前記室内ユニットが発生するランダム値の範囲が重複しなく、前記各室内ユニットが発生したランダム値を昇順又は降順に並べ替え、当該並べ替えたランダム値に従って前記各室内ユニットのアドレスを設定する
ことを特徴とする空気調和機。
【請求項３】
１台の室外ユニットに複数台の室内ユニットを冷媒配管により接続し、前記室内ユニットの通信上のアドレスを自動的に設定する空気調和機のアドレス設定方法において、
前記各室内ユニットが所定の数値範囲のランダム値を発生させる手順を有し、
前記各室内ユニットが発生するランダム値の範囲が少なくとも２種類あり、前記少なくとも２種類のランダム値の範囲が重複しなく、前記室内ユニットが発生したランダム値を昇順又は降順に並べ替え、当該並べ替えたランダム値に従って前記室内ユニットのアドレスを設定する
ことを特徴とする空気調和機のアドレス設定方法。
【発明の詳細な説明】
【技術分野】
【０００１】
本発明は、１台の室外ユニットに複数台の室内ユニットを冷媒配管により接続した空気調機に関するものであり、室内ユニットに自動でアドレスを割り付けるものに好適である。
【背景技術】
【０００２】
多室形空気調和機では、一般的に１台以上の室外ユニットに対し、複数台の室内ユニットが接続され、伝送により相互の情報を授受するため、通信上個々の室内ユニットを識別する手段として、室内ユニットのアドレスを設定する必要がある。
【０００３】
旧来アドレス設定は、ディップスイッチなどの手段により手動で行っていたが、設定の手間を省略し、またアドレス重複等の誤設定を防止することを目的として特許文献１又は特許文献２に記載の如く、アドレスを自動設定する手段が考案された。
【０００４】
これらの発明に共通な手法は、重複しないランダム値の仮アドレスを発生させ、これを昇順等の規則にしたがって並べ替えた後、設定範囲内の一貫番号のアドレスに置き換える方法である。
【０００５】
【特許文献１】特開平７−９１７１８号公報
【特許文献２】特開２０００−２８１８１号公報
【発明の開示】
【発明が解決しようとする課題】
【０００６】
近年の多室形空気調和機においては、圧縮機の大容量化、高効率化に伴い、配管工事の容易化を目的として、室外ユニット１台あたりに接続する室内ユニットの台数が、大幅に増加している。通信上それに対応するためには、室内ユニットのアドレス設定範囲を拡張する必要があるが、室内ユニットの機種数は年々増加傾向にあり、１台の室外ユニットに対して様々な機種の室内ユニットが接続されるため、アドレス設定範囲が拡張される以前の室内ユニットと拡張後の室内ユニットが混在設置される場合が発生する。この際双方の区別をせず同等に自動アドレス設定を行えば、アドレス設定範囲が拡張されていない室内ユニットのアドレスを拡張した部分に誤設定してしまう可能性が生じるため、双方を何らかの形で区別する必要が生じる。またアドレス設定範囲が拡張されるということは、仮アドレスが重複する確率が高くなり、自動アドレス通信を繰り返し行い、アドレス決定に時間を要することも懸念される。
【０００７】
本発明の目的は、アドレス設定範囲が異なることを手動設定することなく自動的に判別し、自動アドレス設定において、室内ユニット固有のアドレス設定範囲内のアドレスを割り付けるとともに、仮アドレスの重複確率を低減させることにより、短時間でアドレス決定を行うようにすることである。
【課題を解決するための手段】
【０００８】
本発明に係る多室形空気調和機は、室外ユニットと１台と１台以上の室内ユニットを共通の通信線で接続した形態であり、相互に通信する通信手段を備えることを特徴とする。室外ユニットは、室内アドレスの重複を検出する手段と、室内アドレスを昇順または降順に並べ換える手段と、仮アドレスに対して一貫番号を割り付ける手段とを備えることを特徴とする。また室内ユニットは、ランダム値発生手段を備えることを特徴とする。ここで、アドレス設定範囲を拡張する室内ユニットについては、その発生するランダム値をアドレス設定範囲非拡張の室内ユニットに比べ、下記の簡便な工夫をしたことを特徴とする。
（１）設定範囲を拡張した室内ユニットが発生するランダム値を、設定範囲非拡張の室内ユニットが発生するランダム値より大きな値にして範囲を重複させない。
（２）ランダム値の重複が少なくなるよう、発生するランダム値の範囲を拡張する。
【発明の効果】
【０００９】
本発明によれば、空調機の室内機のアドレスが誤設定される可能性を低減することができ、空調機の信頼性を高めることができる。
【発明を実施するための最良の形態】
【００１０】
以下、本発明の実施例について図面を用いて説明する。図１は、本発明の実施例に係る多室形空気調和機の接続形態である。本実施の空調システムは、１台の室外ユニットＢと、室内ユニットＣ１、Ｃ２、及びＣｎ１〜Ｃｎ１６計１８台が同一冷媒配管（図示せず）及び共通の通信線Ａで接続されているものとする。
【００１１】
室外ユニットＢの室内ユニット最大接続台数は、旧来の室外ユニット（図示せず）を拡張して、たとえば１０台だったものを６０台に拡張したものである。
【００１２】
室内ユニットＣ１、Ｃ２は、旧来の室内ユニットであり、アドレス設定範囲は、旧来の室外ユニットの接続可能台数範囲と同じで、１〜１０である。これらの仮アドレスのランダム値範囲は、接続台数１０台のランダム値が十分重複しにくくなる値として０〜２５５としておく。
【００１３】
室内ユニットＣｎ１〜Ｃｎ１６は、室内ユニットＣ１、Ｃ２のアドレス設定範囲を拡張したものであり、設定範囲は、室外ユニットＢの接続可能台数範囲と同じく、１〜６０である。また仮アドレスのランダム値の範囲は、室内ユニットＣ１、Ｃ２のランダム値より大きく、かつ範囲を拡張した値として２５６〜６５５３５としておく。
次にアドレス設定の手順について、図２を用いて説明する。図２は、室外ユニットＢと室内ユニットＣ１、Ｃ２、Ｃｎ１〜Ｃｎ１６間の通信シーケンスの例である。
（１）室外ユニットＢは、電源投入直後全室内ユニットに対して、アドレス要求電文Ｄを送信する。この時点では室内ユニットアドレスは不定のため、全室内ユニットを対象にした同報送信となる。
（２）室内ユニットＣ１、Ｃ２、Ｃｎ１〜Ｃｎ１６は、室外ユニットＢからアドレス要求電文Ｄを受信すると、夫々前記範囲内のランダム値Ｅ１、Ｅ２、Ｅｎ１〜Ｅｎ１６を発生し、応答電文を室外ユニットＢに返信する。夫々が発生したランダム値と返信の順番の例を図３に示す。
（３）室外ユニットＢは、全ての室内ユニットから応答電文が返信されるまで待つ。
（４）全ての室内ユニットから受信し終えたら、受信した仮アドレスＥ１、Ｅ２、Ｅｎ１〜Ｅｎ１６を昇順に並べ換える。昇順に並べ換えれば、（Ｅ１またはＥ２）＜Ｅｎ１〜１６の関係のため、必然的にアドレス範囲非拡張の室内ユニットＣ１、Ｃ２の仮アドレスＥ１、Ｅ２が先になる。
【００１４】
ここで、仮アドレスＥ１、Ｅ２、Ｅｎ１〜Ｅｎ１６に重複があれば、（１）項へ戻る。重複がなくなるまで繰り返す。ここでも、Ｅｎ１〜Ｅｎ１６の範囲は、Ｅ１、Ｅ２に比べ大幅に拡張しているため、重複する確率は極小に抑えることができる。
（５）重複がなくなったら、並び換えた仮アドレスに対して、仮アドレスの小さい方から順に、一貫番号を１から順に割り付ける。前述の通り旧来の室内ユニットが先にあるため、必ず、旧来の室内ユニットから先に値の小さい一貫番号を割り付けることになり、旧来の設定範囲を超えることは無い。もちろん、旧来の室内ユニットの台数を旧来の設定台数、ここでは１０台を超えた接続を禁止する必要はある。図４は、図３の例の値を並び換え、仮アドレスに通し番号Ｆ１、Ｆ２、Ｆｎ１〜Ｆｎ１６を割り付けたものである。
（５）室外ユニットＢは、割り付けた通し番号を夫々の室内ユニットへ送信する。ここでは、正規アドレスの昇順に送信するとする。まず、仮アドレスＥ２を相手先として、正規アドレスＦ２を送信する。
（６）室内ユニットＣ２は、相手先がＥ２であるため、Ｆ２は自己向けの正規アドレスとして認識し、記憶する。
（７）以降、残りの室内ユニットに対して、仮アドレスを相手先として、正規アドレスを順次送信し、室内ユニットは記憶する。
【００１５】
上記本発明の実施例によれば、重複しないランダム値の仮アドレスを発生し、一貫番号に置き換える方法で室内ユニットのアドレス設定行う多室形空気調和機において、１台の室外ユニットに接続可能な室内ユニットの台数を増やすために室内アドレスの設定範囲を拡張した場合、前述の簡便な工夫により、
（１）同一室外ユニットに設定範囲非拡張の室内ユニットと、設定範囲を拡張した室内ユニットとを併設して自動アドレス設定を行うことが可能となる。
（２）室外ユニット１台あたりに接続する室内ユニットの台数を大幅に増加しても、ランダム値の重複が少なくなり、自動アドレス設定を短時間で終了させることができる。
【００１６】
仮に、既に室外機に接続された室内機（アドレス設定可能範囲が１〜１０）が発生させる仮アドレスの範囲と追加した室内機（アドレス設定可能範囲が１〜６０）が発生させる仮アドレスの範囲が重複している場合、既に室外機に接続された室内機に１１以上のアドレスが設定されて誤設定されてしまう可能性があるが、本発明の上記実施例では、そのような誤設定を防止することができる。
【図面の簡単な説明】
【００１７】
【図１】本発明の空気調和機の一実施例を示す構成図。
【図２】アドレス設定時の通信シーケンス図。
【図３】室外ユニットＢの受信順に並べた仮アドレス例を示す図。
【図４】図３を昇順に並び換えた後、通し番号を割り付けた例を示す図。
【符号の説明】
【００１８】
Ａ−通信線、Ｂ−室外ユニット、Ｃ１、Ｃ２−室内ユニット（ただし、旧来のアドレス設定範囲）、Ｃｎ１〜Ｃｎ１６−室内ユニット（ただし、Ｃ１、Ｃ２に比べアドレス設定範囲を拡張）、Ｄ−仮アドレス要求、Ｅ１、Ｅ２−仮アドレス（ただし、旧来のランダム範囲）、Ｅｎ１〜Ｅｎ１６−仮アドレス（ただし、本発明によるランダム範囲）、Ｆ１−Ｃ１に割り付けた正規アドレス、Ｆ２−Ｃ２に割り付けた正規アドレス、Ｆｎ１〜Ｆｎ１６−Ｃｎ１〜Ｃｎ１６に割り付けた正規アドレス
【図１】
0004613146.tif 000002
【図２】
0004613146.tif 000003
【図３】
0004613146.tif 000004
【図４】
0004613146.tif 000005